(57)【要約】【課題】信頼性を損なうことなく、電力変換ユニットの放熱性を確保することができる電力変換装置を提供する。【解決手段】電力変換装置１は、電力変換ユニット４と、本体２（筐体）と、第１の流路６１と、第２の流路６２，６３と、連続部６４，６５と、ファン５１〜５４とを備える。第１の流路６１は、電力変換ユニット４の少なくとも一部（ヒートシンク４２７〜４２９，出力用リアクトル４５）が流路の内部に露出する。第２の流路６２は、電力変換ユニット４を通らず本体２の少なくとも一部（背板２１１，左板２１４，右板２１５）で囲まれる。連続部６４，６５は、第１の流路６１と第２の流路６２，６３とを連続させる空間で構成される。ファン５１〜５４は、第１の流路６１と第２の流路６２，６３と連続部６４，６５とを含む循環流路６内に配置され、循環流路６の一方向に空気を流す。【選択図】図１
2015080352.tif 000002
【特許請求の範囲】
【請求項１】
電力供給装置と系統電源との間で電力変換する電力変換ユニットと、
前記電力変換ユニットを収納する筐体と、
前記電力変換ユニットの少なくとも一部が流路の内部に露出する第１の流路と、
前記電力変換ユニットを通らず前記筐体の少なくとも一部で囲まれる第２の流路と、
前記第１の流路と前記第２の流路とを連続させる空間で構成される連続部と、
前記第１の流路と前記第２の流路と前記連続部とを含む循環流路内に配置され、前記循環流路の一方向に空気を流すファンとを備える
ことを特徴とする電力変換装置。
【請求項２】
前記ファンは、前記第１の流路の入口に配置される
ことを特徴する請求項１記載の電力変換装置。
【請求項３】
前記第１の流路は、下から上方向に向かって空気が流れる
ことを特徴とする請求項１または２記載の電力変換装置。
【請求項４】
前記第２の流路は、前記筐体の両側の側板の少なくとも一部を含んで構成され、
前記第２の流路に流れる空気の向きは、前記第１の流路に流れる空気の向きの反対である
ことを特徴とする請求項１乃至３のうちいずれか１項に記載の電力変換装置。
【請求項５】
前記第２の流路および前記連続部は、配線スペースを兼用する
ことを特徴とする請求項１乃至４のうちいずれか１項に記載の電力変換装置。
【請求項６】
前記第１の流路は、前記筐体の背板と熱的に結合され、前記電力変換ユニットを構成する部品のうち比較的発熱量が大きい発熱部品が流路の内部に露出する
ことを特徴とする請求項１乃至５のうちいずれか１項に記載の電力変換装置。
【請求項７】
前記電力変換ユニットを構成する部品のうち前記発熱部品は、他の部品よりも前記背板に近い位置に配置される
ことを特徴とする請求項６記載の電力変換装置。
【請求項８】
前記第１の流路を分割した第１の分割流路と第２の分割流路とを形成するダクトを備え、
前記第１の分割流路には、ヒートシンクを備える前記発熱部品が配置され、
前記第２の分割流路には、前記ヒートシンクを備えない前記発熱部品が配置される
ことを特徴とする請求項６または７記載の電力変換装置。
【請求項９】
前記第１の分割流路に配置される前記発熱部品のうち最も発熱量が大きい部品は、前記第１の分割流路内における前記ファンに最も近い位置に配置され、
前記第２の分割流路に配置される前記発熱部品のうち最も発熱量が大きい部品は、前記第２の分割流路内における前記ファンに最も近い位置に配置される
ことを特徴とする請求項８記載の電力変換装置。
【発明の詳細な説明】
【技術分野】
【０００１】
本発明は、電力変換装置に関するものである。
【背景技術】
【０００２】
従来、太陽電池や蓄電池などの電力供給装置と系統電源との間で電力変換する電力変換ユニットを筐体に収納した電力変換装置がある（例えば、特許文献１参照）。電力変換ユニットは、動作時に発熱量が比較的大きくなる発熱部品を用いて構成されている。そのため、この発熱部品を放熱する方法として、筐体の外部から空気を吸入し、筐体の内部の温められた空気を排出する方法または、発熱部品に設けられたヒートシンクを筐体の外部に露出させる方法が採用されている。
【先行技術文献】
【特許文献】
【０００３】
【特許文献１】特開２０１３−１９８２７４号公報
【発明の概要】
【発明が解決しようとする課題】
【０００４】
しかし、空気を吸入・排出したり、ヒートシンクを露出させるためには、筐体に通気口を設ける必要がある。そのため、通気口を介して、外気の汚染物質（塩分など）や湿気も筐体の内部に吸入されるため、電力変換ユニットを構成する部品や、電力変換装置を構成する構造体の劣化による信頼性の低下につながる。
【０００５】
本発明は、上記事由に鑑みてなされたものであり、その目的は、信頼性を損なうことなく、電力変換ユニットの放熱性を確保することができる電力変換装置を提供することにある。
【課題を解決するための手段】
【０００６】
本発明の電力変換装置は、電力供給装置と系統電源との間で電力変換する電力変換ユニットと、前記電力変換ユニットを収納する筐体と、前記電力変換ユニットの少なくとも一部が流路の内部に露出する第１の流路と、前記電力変換ユニットを通らず前記筐体の少なくとも一部で囲まれる第２の流路と、前記第１の流路と前記第２の流路とを連続させる空間で構成される連続部と、前記第１の流路と前記第２の流路と前記連続部とを含む循環流路内に配置され、前記循環流路の一方向に空気を流すファンとを備えることを特徴とする。
【０００７】
この電力変換装置において、前記ファンは、前記第１の流路の入口に配置されることが好ましい。
【０００８】
この電力変換装置において、前記第１の流路は、下から上方向に向かって空気が流れることが好ましい。
【０００９】
この電力変換装置において、前記第２の流路は、前記筐体の両側の側板の少なくとも一部を含んで構成され、前記第２の流路に流れる空気の向きは、前記第１の流路に流れる空気の向きの反対であることが好ましい。
【００１０】
この電力変換装置において、前記第２の流路および前記連続部は、配線スペースを兼用することが好ましい。
【００１１】
この電力変換装置において、前記第１の流路は、前記筐体の背板と熱的に結合され、前記電力変換ユニットを構成する部品のうち比較的発熱量が大きい発熱部品が流路の内部に露出することが好ましい。
【００１２】
この電力変換装置において、前記電力変換ユニットを構成する部品のうち前記発熱部品は、他の部品よりも前記背板に近い位置に配置されることが好ましい。
【００１３】
この電力変換装置において、前記第１の流路を分割した第１の分割流路と第２の分割流路とを形成するダクトを備え、前記第１の分割流路には、ヒートシンクを備える前記発熱部品が配置され、前記第２の分割流路には、前記ヒートシンクを備えない前記発熱部品が配置されることが好ましい。
【００１４】
この電力変換装置において、前記第１の分割流路に配置される前記発熱部品のうち最も発熱量が大きい部品は、前記第１の分割流路内における前記ファンに最も近い位置に配置され、前記第２の分割流路に配置される前記発熱部品のうち最も発熱量が大きい部品は、前記第２の分割流路内における前記ファンに最も近い位置に配置されることが好ましい。
【発明の効果】
【００１５】
以上説明したように、本発明では、筐体の内部に、電力変換ユニットの少なくとも一部が流路の内部に露出する第１の流路と、筐体の少なくとも一部で囲まれる第２の流路とが含まれる空気の循環流路を形成し、この循環流路に空気を流すファンを備える。第１の流路に空気が流れる際に電力変換ユニットから空気に熱が伝わる。そして、第１の流路から排出された空気は、第２の流路を流れる際に筐体を介して放熱されて冷やされ、再び第１の流路に流入される。したがって、筐体の内部に外気が吸入されないので、信頼性を損なうことなく、電力変換ユニットの放熱性を確保することができるという効果がある。
【図面の簡単な説明】
【００１６】
【図１】実施形態の要部を示す正面図である。
【図２】実施形態の要部を示す断面図である。
【図３】実施形態において、第１，第２のダクトの構成を示す本体の正面図である。
【図４】実施形態において、第１，第２のダクトの構成を示す本体の断面図である。
【図５】実施形態において、カバーを外した状態を示す本体の正面図である。
【図６】実施形態の全体を示す電力変換装置の正面図である。
【図７】実施形態において、カバーを外した状態を示す電力変換装置の正面図である。
【発明を実施するための形態】
【００１７】
以下、本発明の実施の形態を図面に基づいて説明する。
【００１８】
（実施形態）
本実施形態の電力変換装置１（図６参照）は、屋外に設置され、太陽電池と蓄電池との少なくとも一方が出力する直流電力を交流電力に変換して、電気負荷（例えば照明器具など）に電力を供給する。太陽電池と蓄電池とに由来する電力は、系統電源から受電しているときは系統に連係し、系統電源が停電しているときには自立端子から電気負荷に出力される。さらに、系統電源，太陽電池に由来する電力は、蓄電池の充電に用いることも可能である。
【００１９】
本実施形態の電力変換装置１の外観正面図を図６、カバー２２，カバー３２を外した状態の正面図を図７に示す。なお、図６における上下左右を上下左右方向、上下左右に直交する図の手前方向を前方向、上下左右に直交する図の奥方向を後方向と規定して、以下説明する。
【００２０】
本実施形態の電力変換装置１の外郭は、本体２（筐体）と、本体２が上に載せられるベース３とで構成されている。本体２は、前面に開口２３を有する矩形箱状のボディ２１と、開口２３を塞ぐカバー２２とで構成されている。ベース３は、前面に開口３３を有する矩形箱状のボディ３１と、開口３３を塞ぐカバー３２とで構成されている。
【００２１】
図５に示すように、ボディ２１は、矩形状の背板２１１と、背板２１１の各端（上端，下端，左端，右端）から前方向に突出した矩形状の側板（上板２１２，下板２１３，左板２１４，右板２１５）とを有し、前面に矩形状の開口２３が形成されている。このボディ２１の内部に、電力変換ユニット４が収納されている。電力変換ユニット４は、電力変換装置１の外部に設けられた太陽電池（図示なし）と蓄電池（図示なし）との少なくとも一方が接続される。また、電力変換ユニット４は、屋内に設置された分電盤のブレーカ（図示なし）または、ベース３に収納された切替ユニット３４に設けられたブレーカ３５を介して、電気負荷に接続される。そして、電力変換ユニット４は、太陽電池，蓄電池に由来する直流電力を交流電力に変換し、変換した交流電力を電気負荷に供給する。さらに電力変換ユニット４は、太陽電池の発電電力および系統電源（商用電源）からの供給電力を用いて蓄電池を充電する機能および、太陽電池の発電電力を系統電源に逆潮流させて売電する機能も有する。
【００２２】
ベース３には、切替ユニット３４と、トランス３６が収納されている。切替ユニット３４は、停電時において、ブレーカ３５を介して接続された電気負荷に対して太陽電池，蓄電池の発電電力を供給する自立運転モードに切り替える機能を有する。トランス３６は、太陽電池，蓄電池に由来する電力から生成された交流電圧を２線式から３線式に変換する。これにより、切替ユニット３４は、単相三線出力することができ、停電時において、２００Ｖ対応の電気負荷を自立運転モードで駆動させることができる。
【００２３】
次に、電力変換ユニット４の構成について図５を用いて説明する。電力変換ユニット４は、ボディ２１の背板２１１に固定されている。電力変換ユニット４は、太陽電池に接続される太陽電池接続端子４１１と、蓄電池に接続される蓄電池接続端子４１２と、系統電源に接続される系統電源接続端子４１３と、切替ユニット３４に接続される自立出力端子４１４とを備える。太陽電池接続端子４１１は、電力変換ユニット４の左端の上部において上下方向１列に設けられており、１〜５台の太陽電池が接続可能となる。蓄電池接続端子４１２は、電力変換ユニット４の左端の上下方向中央部において上下方向に並んで２組設けられており、１〜２台の蓄電池が接続可能となる。系統電源接続端子４１３と自立出力端子４１４とは一体に構成され、電力変換ユニット４の左端の下部において上下方向１列に設けられている。そして、電力変換ユニット４は、電力供給装置である太陽電池と蓄電池との少なく一方と系統電源との間で電力変換する電力変換回路を有する。
【００２４】
また、電力変換ユニット４は、屋内に設けられたリモコン（図示なし）に接続される通信端子４１５を備える。通信端子４１５は、電力変換ユニット４の右下の隅に設けられている。リモコンは、電力変換ユニット４の設定や、太陽電池の発電電力、蓄電池の残容量の確認などを行うことができる。各端子（太陽電池接続端子４１１，蓄電池接続端子４１２，系統電源接続端子４１３，自立出力端子４１４，通信端子４１５）に接続される配線は、ボディ２１の下板２１３に形成された孔を介してベース３から導入される。そのため、電力変換ユニット４とボディ２１の下板２１３との間および、電力変換ユニット４とボディ２１の左板２１４との間には、配線スペースとして空間が設けられている。
【００２５】
また、電力変換ユニット４が備える電力変換回路は、動作時に発熱量が比較的大きくなる発熱部品（例えば、コイルやスイッチングモジュールなど）を用いている。そのため、電力変換装置１は、電力変換ユニット４（特に、発熱部品）を放熱するために、４台のファン５１〜５５を備えている。ファン５１〜５５は、電力変換ユニット４の下端において、左右方向１列に配置され、本体２内に形成された空気の循環流路６に空気を流すことで電力変換ユニット４を放熱する。以下に、循環流路６について説明する。
【００２６】
図１〜４に、電力変換ユニット４を構成する部品のうち、循環流路６を構成する部品を抽出して図示する。また、図１，５において、循環流路６に流れる空気の流れを矢印で示す。循環流路６は、電力変換ユニット４の一部が流路の内部に露出する第１の流路６１と、電力変換ユニット４を通らず本体２の一部で囲まれる第２の流路６２，６３と、第１の流路６１と第２の流路６２，６３とを連続させる連続部６４，６５とで構成される。また、第１の流路６１は、電力変換ユニット４を構成する第１，第２のダクト４２，４３で第１，第２の分割流路６１１，６１２に分割されている。
【００２７】
第１のダクト４２は、第１の基台４２１と、第１の基台４２１に取り付けられるヒートシンク４２７〜４２９とで構成される。
【００２８】
図３，４に示すように、第１の基台４２１は、前方が開口し上下方向に連続する溝を形成している。そして、第１の基台４２１は、後述する第２のダクト４３の右側において、ボディ２１の上板２１２，下板２１３，右板２１５から離れた位置に配置され、ボディ２１の背板２１１に固定されている。第１の基台４２１は、上下方向に長く形成された矩形状の背板４２２と、背板４２２の左右両端から前方向に突出した左板４２３，右板４２４と、左板４２３の前端から左方向に突出した鍔部４２５と、右板４２４の前端から右方向に突出した鍔部４２６とを備える。また、背板４２２の下端には、２台のファン５１，５２が左右方向に並べて配置されている。
【００２９】
そして、図１，２に示すように、第１の基台４２１の前方を塞ぐように４つのヒートシンク４２７〜４２９が上下方向に並んで鍔部４２５，４２６に取り付けられる。各ヒートシンク４２７〜４２９は、第１の基台４２１の背板４２２と対向し実装基板が取り付けられる板部４２１０と、板部４２１０の後面から突出した複数の板で構成され、上下方向に形成された複数のスリットを有する放熱部４２１１とを有する（図２参照）。各ヒートシンク４２７〜４２９の板部４２１０は、実装基板に実装された比較的発熱量が大きい発熱部品に接触している。
【００３０】
なお、一番上側に配置されるヒートシンク４２７の板部４２１０には、太陽電池に由来する直流電圧を所望の直流電圧に変換するＤＣ−ＤＣコンバータ回路を構成する実装基板４４１が３枚上下方向に並べて設けられている。実装基板４４１には、ＤＣ−ＤＣコンバータ回路を２回路構成可能であり、１枚の実装基板４４１で２台の太陽電池に対応することができる。したがって、３枚の実装基板４４１を用いて１〜５台の太陽電池に対応することができる。
【００３１】
また、ヒートシンク４２７の下側に上下方向に並んで２枚配置されたヒートシンク４２８の板部４２１０それぞれには、双方向ＤＣ−ＤＣコンバータ回路を構成する実装基板４４２が設けられている。双方向ＤＣ−ＤＣコンバータ回路は、蓄電池に由来する直流電圧を所望の直流電圧に変換する放電動作および、太陽電池，系統電源に由来する直流電圧を所望の直流電圧に変換する充電動作を行う。双方向ＤＣ−ＤＣコンバータ回路を構成する実装基板４４２を２枚備えることで、２台の蓄電池に対応することができる。
【００３２】
また、ヒートシンク４２８の下側に配置されたヒートシンク４２９の板部４２１０には、インバータ回路を構成する２枚の実装基板４４３，４４４が左右方向に並べて配置されている。インバータ回路は、太陽電池，蓄電池に由来する直流電力を交流電力に変換または、系統電源に由来する交流電力を直流電力に変換する。
【００３３】
このように、第１のダクト４２は、第１の基台４２１とヒートシンク４２７〜４２９とで囲まれることで形成された第１の分割流路６１１を構成している。そして、ファン５１，５２は、第１の分割流路６１１内において、下から上に向かって空気を流す。
【００３４】
次に、第２のダクト４３は、第２の基台４３１と、第２の基台４３１に設けられる第１〜第３の取付板４３２〜４３４とで構成される。
【００３５】
図３，４に示すように、第２の基台４３１は、上下方向に長い矩形板状に形成されおり、第１のダクト４２の左側において、ボディ２１の上板２１２，下板２１３，左板２１４から離れた位置に配置され、ボディ２１の背板２１１に固定されている。第２の基台４３１には、第１の取付板４３２と第２の取付板４３３と第３の取付板４３４が上下方向に並んで設けられる。
【００３６】
第１の取付板４３２は、矩形状の前板４３２１と、前板４３２１の左端から後方向に突出した側板４３２２と、側板４３２２の後端から左方向に突出し第２の基台４３１に固定される鍔部４３２３とで構成されている。前板４３２１は、第２の基台４３１と前後方向に離れており、第２の基台４３１の前方を覆っている。また、前板４３２１の左端に太陽電池接続端子４１１（図５参照）が取り付けられる。
【００３７】
第２の取付板４３３は、矩形状の前板４３３１と、前板４３３１の左端から後方向に突出した側板４３３２と、側板４３３２の後端から左方向に突出し第２の基台４３１に固定される鍔部４３３３とで構成されている。前板４３３１は、第２の基台４３１と前後方向に離れており、第２の基台４３１の前方を覆っている。また、前板４３３１の左端に蓄電池接続端子４１２（図５参照）が取り付けられる。
【００３８】
第３の取付板４３４は、矩形状の前板４３４１と、前板４３４１の左端から後方向に突出した側板４３４２と、側板４３４２の後端から左方向に突出し第２の基台４３１に固定される鍔部４３４３とで構成されている。前板４３４１は、第２の基台４３１と前後方向に離れており、第２の基台４３１の前方を覆っている。なお、前板４３４１の左右方向の寸法は、第２の基台４３１の左右方向の寸法よりも短く形成されており、前板４３４１は、第２の基台４３１の下部における左端付近のみを覆っている。そして、前板４３４１は、左端に系統電源接続端子４１３，自立出力端子４１４（図５参照）が取り付けられる。また、第３の取付板４３４の側板４３４２の前後方向の寸法は、第１，第２の取付板４３２，４３３の側板４３２２，４３３２の前後方向の寸法よりも長く形成されており、前板４３４１は、前板４３２１，４３３１よりも前方に位置する。第３の取付板４３４は、前板４３４１の上端から後方向に突出し、前板４３４１と前板４３３１との前後方向の隙間を閉塞する上板４３４４を有している（図４参照）。
【００３９】
また、第２の基台４３１には、電力変換回路を構成する回路部品のうち、比較的発熱量が大きい発熱部品の１つであるコイルが設けられている。第２の基台４３１における、第１の取付板４３２と対向する位置には、太陽電池接続端子４１１に接続されるフィルタ回路のコイル（図示なし）や、ＤＣ−ＤＣコンバータ回路のコイル（図示なし）が配置されている。また、第２の基台４３１における、第２の取付板４３３と対向する位置には、蓄電池接続端子４１２に接続されるフィルタ回路のコイル（図示なし）や、双方向ＤＣ−ＤＣコンバータ回路のコイル（図示なし）が配置されている。また、第２の基台４３１における、第３の取付板４３４の側板４３４２の右側の位置には、系統電源接続端子４１３，自立出力端子４１４に接続される出力用リアクトル４５が配置されている。すなわち、第２の基台４３１には、電力変換ユニット４を構成する部品のうち、比較的発熱量およびサイズが大きく、ヒートシンクを備えていない大型コイル（出力用リアクトル４５を含む）が配置されている。なお、第２の基台４３１には、大型コイル以外の部品も配置されている。
【００４０】
このように、第２のダクト４３は、第２の基台４３１と第１〜第３の取付板４３２〜４３４と第１の基台４２１の左板４２３とで囲まれることで形成された第２の分割流路６１２を構成している。そして、ファン５３，５４は、第２の分割流路６１２内において、下から上に向かって空気を流す。
【００４１】
なお、図５に示すように、電力変換ユニット４は、電力変換回路を構成する部品（実装基板４４１〜４４４，出力用リアクトル４５など）が露出しないように、前面がカバー４１６，４１７で覆われている。
【００４２】
次に、第２の流路６２，６３および連続部６４，６５について説明する。
【００４３】
第１のダクト４２は、ボディ２１の右板２１５から離れた位置に配置されている。したがって、第１の基台４２１の右板４２４と、ボディ２１の背板２１１，右板２１５とで囲まれた空間で構成される第２の流路６２が形成されている。また、第２のダクト４３は、ボディ２１の左板２１４から離れた位置に配置されている。したたって、第１〜第３の取付板４３２〜４３４の側板４３２２〜４３４２と、ボディ２１の背板２１１，左板２１４とで囲まれた空間で構成される第２の流路６３が形成されている。
【００４４】
さらに、第１，第２のダクト４２，４３は、ボディ２１の上板２１２から離れた位置に配置されている。したがって、第１の流路６１（第１，第２の分割流路６１１，６１２）と第２の流路６２，６３とを連続させる空間で構成される連続部６４が形成されている。また、第１，第２のダクト４２，４３は、ボディ２１の下板２１３から離れた位置に配置されている。したがって、第１の流路６１（第１，第２の分割流路６１１，６１２）と第２の流路６２，６３とを連続させる空間で構成される連続部６５が形成されている。
【００４５】
このように、本体２内に、第１の流路６１（第１，第２の分割流路６１１，６１２）と、第２の流路６２，６３と、連続部６４，６５とで構成される空気の循環流路６が形成されている。そして、この循環流路６内に、ファン５１〜５４が配置され、循環流路６の一方向に空気を流す。具体的には、ファン５１，５２は、第１の分割流路６１１の入口に配置され、第１の分割流路６１１内において下から上に向かって空気を流す。このとき、ファン５１，５２によって第１の分割流路６１１の下端から流入した空気は、第１の分割流路６１１の内部に露出したヒートシンク４２７〜４２９から熱を吸収して温められ、第１の分割流路の上端から排出される。これにより、ヒートシンク４２７〜４２９に設けられた実装基板４４１〜４４４に実装された発熱部品が放熱される。また、ファン５３，５４は、第２の分割流路６１２の入口に配置され、第２の分割流路６１２内において下から上に向かって空気を流す。このとき、ファン５３，５４によって第２の分割流路６１２の下端から流入した空気は、第２の分割流路６１２の内部に露出したコイル等（出力用リアクトル４５を含む）の発熱部品から熱を吸収して温められ、第２の分割流路６１２の上端から排出される。これにより、第２の分割流路６１２の内部に露出した発熱部品が放熱される。
【００４６】
そして、第１，第２の分割流路６１１，６１２から排出された空気は、連続部６４を介して第２の流路６２，６３に流入し、第２の流路６２，６３内に上から下向きの空気が流れる。このとき、第２の流路６２，６３を流れる空気は、第２の流路６２，６３を構成するボディ２１の背板２１１および側板（左板２１４，右板２１５）を介して本体２の外部に熱が放出される。そして、第２の流路６２，６３で冷やされた空気が連続部６５を介して第１の流路６１（第１，第２の分割流路６１１，６１２）に流入する。このように、本体２内に形成された循環流路６の一方向に空気を流すことによって、電力変換ユニット４を構成する発熱部品を放熱することができる。
【００４７】
すなわち、本実施形態の電力変換装置１は、電力変換ユニット４と、本体２（筐体）と、第１の流路６１と、第２の流路６２，６３と、連続部６４，６５と、ファン５１〜５４とを備える。電力変換ユニット４は、電力供給装置（太陽電池，蓄電池）と系統電源との間で電力変換する。本体２は、電力変換ユニット４を収納する。第１の流路６１は、電力変換ユニット４の少なくとも一部（ヒートシンク４２７〜４２９，出力用リアクトル４５）が流路の内部に露出する。第２の流路６２は、電力変換ユニット４を通らず本体２の少なくとも一部（背板２１１，左板２１４，右板２１５）で囲まれる。連続部６４，６５は、第１の流路６１と第２の流路６２，６３とを連続させる。ファン５１〜５４は、第１の流路６１と第２の流路６２，６３と連続部６４，６５とを含む循環流路６内に配置され、循環流路６の一方向に空気を流す。
【００４８】
したがって、本実施形態の電力変換装置１は、本体２の外側から空気を吸入しないので、本体２に通気口を設ける必要がない。すなわち、外気の汚染物質（塩分など）や湿気が本体２の内部に吸入されないので、電力変換ユニット４を構成する部品や、電力変換装置１（本体２）を構成する構造体の劣化による信頼性の低下を抑制することができる。
【００４９】
また、本体２の内部に形成された循環流路６にファン５１〜５４を用いて空気を流すので、本体２内における温度分布が均一化され、本体２全体を用いて放熱するので放熱性も確保することができる。
【００５０】
また、本実施形態では、太陽電池接続端子４１１，蓄電池接続端子４１２，系統電源接続端子４１３，自立出力端子４１４，通信端子４１５に接続する配線の配線スペースを第２の流路６３，連続部６５と兼用している。したがって、比較的広い空間を必要とする配線スペースが循環流路６の一部に兼用されるので、空気の流路を別途確保する必要がなく、本体２のサイズを小さくすることができる。
【００５１】
また、第１の流路６１と第２の流路６２，６３とは、第１の基台４２１と第１〜第３の取付板４３２〜４３４とで仕切られている。したがって、第１の流路６１に流れる空気と第２の流路６２，６３に流れる空気とが干渉しないので、第１の流路６１，第２の流路６２，６３に流れる空気の速度を確保し、放熱性を向上させることができる。
【００５２】
また、ファン５１〜５４は、第１の流路６１の入口である下端に配置され、第１の流路６１内において下から上方向に向かって空気を流す。したがって、上下方向に形成された第１，第２のダクト４２，４３によるダクト効果（煙突効果）と相乗して、第１の流路６１における流路損失が低減し、第１の流路６１に流れる空気の速度が上昇するので、放熱性を向上させることができる。
【００５３】
さらに、第１の流路６１を構成する第１，第２の分割流路６１１，６１２は、第１の基台４２１の左板４２３によって仕切られている。したがって、第１の分割流路６１１の内部に露出するヒートシンク４２７〜４２９（実装基板４４１〜４４４に実装される発熱部品）と、第２の分割流路６１２の内部に露出する大型コイル（出力用リアクトル４５を含む）等の発熱部品との熱干渉が防止される。
【００５４】
また、第１の流路６１（第１，第２の分割流路６１１，６１２）は、ボディ２１の背板２１１に固定される第１，第２の基台４２１，４３１を含んで構成されている。したがって、第１の流路６１は、ボディ２１の背板２１１と熱的に結合された状態となり、第１の流路６１に流れる空気の熱は、第１，第２の基台４２１，４３１および背板２１１を介して排出されるので、放熱性を向上させることができる。さらに、第２の分割流路６１２の内部に露出する大型コイル等の発熱部品は、第２の基台４３１に設けられるので、これらの放熱性もより向上させることができる。
【００５５】
さらに、第１の分割流路６１１を構成する実装基板４４１〜４４４（ヒートシンク４２７〜４２９）に設けられる部品（発熱部品）のうち、実装基板４４３，４４４に実装されインバータ回路を構成する発熱部品が最も発熱量が大きい。そこで、本実施形態では、実装基板４４３，４４４（ヒートシンク４２９）を最もファン５１，５２から近い位置に配置している。それにより、実装基板４４３，４４４に実装され、発熱量が大きいインバータ回路を構成する部品の放熱性を向上させることができる。また、第２の分割流路６１２内に露出する大型コイル等の発熱部品のうち、最も発熱量が大きい出力用リアクトル４５を最もファン５３，５４から近い位置に配置している。それにより、発熱量が大きい出力用リアクトル４５の放熱性を向上させることができる。
【００５６】
また、比較的重量が大きいヒートシンク４２７〜４２９が設けられた第１の基台４２１は、ボディ２１の構成面のうち最も強固な背板２１１に固定されているので、構造の点での信頼性も高い。
【００５７】
また、電力変換装置１は、本体２とベース３とで構成されているので、本体２，ベース３それぞれの重量は、本体２とベース３とを一体に構成する場合に比べて軽くなるので、設置する際の作業性が向上する。
【００５８】
さらに、電力変換ユニット４を収納する本体２は、ベース３を台として兼用しているので、地面から電力変換ユニット４までの距離が確保され、電力変換ユニット４が水没する可能性が低減する。
【符号の説明】
【００５９】
１  電力変換装置
２  本体（筐体）
２１  ボディ
４  電力変換ユニット
５１〜５４  ファン
６  循環流路
６１  第１の流路
６１１  第１の分割流路
６１２  第２の分割流路
６２，６３  第２の流路
６４，６５  連続部
【図１】
2015080352.tif 000003
【図２】
2015080352.tif 000004
【図３】
2015080352.tif 000005
【図４】
2015080352.tif 000006
【図５】
2015080352.tif 000007
【図６】
2015080352.tif 000008
【図７】
2015080352.tif 000009